(57)【要約】【課題】配設体を壁材に対してより一層容易に配設可能とする配設装置を提供することにある。【解決手段】壁表に配置される第１開口端１２１及び壁裏で流体管Ｐが接続される第２開口端１２２を有する流体管継手１２０と、該流体管継手１２０の第１開口端１２１に脱着可能に取着される取着体１１１、及び、該取着体１１１に接続された長尺の紐状体１１７を備える配設治具１１０と、流体管継手１２０を壁材Ｗに固定するための固定具１３０と、を備え、壁裏で第１開口端１２１に結合した取着体１１１を壁表から紐状体１１７で牽引して、流体管継手１２０の第１開口端１２１を壁表に突出させるべく、流体管Ｐが第２開口端１２２に接続された状態で流体管継手１２０を壁孔Ｈに向けて誘導可能であることを特徴とする。【選択図】図１
2015086956.tif 000002
【特許請求の範囲】
【請求項１】
壁表に配置される第１開口端及び壁裏で流体管が接続される第２開口端を有する流体管継手を壁孔に配設するための配設治具であって、
前記流体管継手の前記第１開口端に脱着可能に取着される取着体と、
該取着体に接続された長尺の紐状体と、を備え、
壁裏で前記流体管継手に結合した前記取着体を壁表から前記紐状体で牽引して、前記流体管継手の前記第１開口端を壁表に突出させるべく、前記流体管が前記第２開口端に接続された状態で前記流体管継手を前記壁孔に向けて誘導可能であることを特徴とする配設治具。
【請求項２】
前記取着体は、前記流体管継手の前記第１開口端近傍に形成された雌ねじ部又は雄ねじ部のいずれか一方に螺合可能な螺着部と、前記流体管継手に取着された状態で前記第１開口端を止水するための止水部と、を備えることを特徴とする請求項１に記載の配設治具。
設治具。
【請求項３】
前記紐状体は、壁表から磁力によって引き寄せ可能な磁着部を備えることを特徴とする請求項１又は２に記載の配設治具。
【請求項４】
壁表に配置される第１開口端及び壁裏で流体管が接続される第２開口端を有する流体管継手と、
前記流体管継手の第１開口端に脱着可能に取着される取着体、及び、該取着体に接続された長尺の紐状体を備える配設治具と、
前記流体管継手を壁材に固定するための固定具と、を備え、
壁裏で前記第１開口端に結合した前記取着体を壁表から前記紐状体で牽引して、前記流体管が前記第２開口端に接続された状態で前記流体管継手の前記第１開口端を壁表に突出させるべく、前記流体管継手を壁孔に向けて誘導可能であることを特徴とする配設装置。
【請求項５】
前記取着体は、前記流体管継手の前記第１開口端近傍に形成された雌ねじ部又は雄ねじ部のいずれか一方に螺合可能な螺着部と、前記流体管継手に取着された状態で前記第１開口端を止水するための止水部と、を備えることを特徴とする請求項４に記載の配設装置。
【請求項６】
前記固定具は、前記壁材を壁表側から押圧して前記流体管継手を固定するための固定リングからなり、
前記固定リングが前記流体管継手の前記第１開口端近傍の雄ねじ部に螺着可能であり、且つ、前記取着体の螺着部が前記第１開口端近傍の雌ねじ部に螺着可能であり、
前記取着体を前記第１開口端に結合した状態で前記流体管継手を前記固定具で前記壁材に固定すべく、前記紐状体及び前記取着体が前記固定リングの中空を通過可能であるように構成されていることを特徴とする請求項４又は５に記載の配設装置。
【請求項７】
前記流体管継手は、流体管継手本体から張り出したフランジ部と、壁裏で前記壁材と前記フランジ部との間で挟圧される第１止水リングと、をさらに備え、
前記第１止水リングが壁孔周縁に当接して前記固定リングの螺着時に前記流体管継手の共回りを抑制することを特徴とする請求項６に記載の配設装置。
【請求項８】
壁裏に配置した前記紐状体の磁着部を壁表から磁力によって引き寄せるための磁気牽引具をさらに備えることを特徴とする請求項４から７のいずれか一項に記載の配設装置。
【請求項９】
配設治具の取着体を前記流体管継手の第１開口端に脱着可能に取着すると共に流体管継手の第２開口端に流体管を接続する工程と、
前記流体管及び前記配設治具が結合した前記流体管継手を壁裏に配置する工程と、
前記配設治具の前記取着体に接続された長尺の紐状体で前記取着体を壁表から牽引して、前記流体管継手を壁孔に向けて誘導し、前記第１開口端を壁表に突出させるように配置する工程と、
前記流体管継手を前記壁材に固定具で固定する工程と、
前記配設治具を前記流体管継手から離脱させる工程と、
を含むことを特徴とする流体管継手の配設方法。
【請求項１０】
前記取着体は、前記流体管継手の前記第１開口端近傍に形成された雌ねじ部又は雄ねじ部のいずれか一方に螺合可能な螺着部と、前記流体管継手に取着された状態で前記第１開口端を止水するための止水部と、を備え
前記流体管継手を前記壁材に固定した後、前記流体管継手の水圧試験をする工程をさらに含むことを特徴とする請求項９に記載の配設方法。
【請求項１１】
前記流体管継手を壁裏に配置した後、磁気牽引具を用いて、壁裏に配置した前記紐状体の磁着部を壁表から磁力で前記壁孔まで誘導し、前記紐状体を前記壁孔から壁表に引き出す工程をさらに含むことを特徴とする請求項９又は１０に記載の配設方法。
【請求項１２】
壁孔に貫通配置される配設体と、
前記配設体に脱着可能に形成された取着体、及び、該取着体に接続された長尺の紐状体を有する配設治具と、
前記配設体を前記壁材に固定するための固定具と、を備え、
壁裏で前記配設体に結合した前記取着体を壁表から前記紐状体で牽引して、前記配設体を前記壁孔に向けて誘導可能であることを特徴とする配設装置。
【発明の詳細な説明】
【技術分野】
【０００１】
本発明は、配設治具、配設装置、及び、流体管継手の配設方法に関する。
【背景技術】
【０００２】
従来、流体管継手等の配設体を壁孔に貫通配置させるべく、種々の配設装置、配設方法が用いられている。
【０００３】
例えば、特許文献１は、水栓をユニットバスに取り付けるための水栓エルボを壁裏に支障なく固定する配設装置を開示している。この水栓エルボ（Ｅ）をユニットバス（Ｂ）に配設する方法では、ユニットバス（Ｂ）の側壁（１）の裏側で、水栓エルボ（Ｅ）のパイプ接続部（１２）にパイプ（Ｐ）を接続し、水栓エルボ（Ｅ）の螺子筒部（１１）を水栓エルボ固定具（Ｆ）の挿通孔（２３）に挿通させると共に、水栓エルボ（Ｅ）の鍔部（１３）を固定具（Ｆ）の廻止め板部（２４）の間に挿入して係止させる。次に、係止状態で、水栓エルボ（Ｅ）の螺子筒部（１１）を側壁（１）に形成された貫通孔（３２）に挿通して、螺子筒部（１１）の先端部を側壁（１）の壁表に突出させる。そして、側壁（１）の壁表において、螺子筒部（１１）の突出部の雄螺子部（１１ａ）にナット（Ｎ）を螺合させて、側壁（１）及び水栓エルボ固定具（Ｆ）の支持板部（２１）をナット（Ｎ）と鍔部（１３）とで挟持する。これにより、側壁（１）に水栓エルボ（Ｅ）が取り付けられる。
【先行技術文献】
【特許文献】
【０００４】
【特許文献１】特開２００６−２６５８３２号公報
【発明の概要】
【発明が解決しようとする課題】
【０００５】
特許文献１の配設装置では、配設体を取り付けるべきユニットバスの壁材の壁裏空間で、流体管（パイプ（Ｐ））を配設体（水栓エルボ（Ｅ））に取り付けて、配設体を壁表に臨むように壁材の壁孔まで誘導する。このような壁裏空間での作業は、壁表空間での作業と比べて、より一層困難なものとなり得る。例えば、壁裏空間が狭い場合には、壁裏での作業者の手の動きが制限され、精密な作業をすることができない。そのため、流体管の取付や配設体の壁孔までの誘導が壁材等に妨げられ、配設体の設置に多くの労力を要する。あるいは、壁裏空間を視認できない場合には、壁裏で作業者が手探りで作業しなければならず、流体管の接続に漏れが生じたり、配設体の所望の箇所を壁孔に誘導することが困難となったりした。すなわち、従来の配設装置において、上述のような壁裏空間で作業効率が低下することが問題であった。
【０００６】
本発明は、上記課題を解決するためになされたものであり、その目的は、配設体を壁材に対してより一層容易に配設可能とする配設治具、配設装置及び配設方法を提供することにある。
【課題を解決するための手段】
【０００７】
請求項１に記載の配設治具は、壁表に配置される第１開口端及び壁裏で流体管が接続される第２開口端を有する流体管継手を壁孔に配設するための配設治具であって、流体管継手の第１開口端に脱着可能に取着される取着体と、該取着体に接続された長尺の紐状体と、を備え、壁裏で流体管継手に結合した取着体を壁表から紐状体で牽引して、流体管継手の第１開口端を壁表に突出させるべく、流体管が第２開口端に接続された状態で流体管継手を壁孔に向けて誘導可能であることを特徴とする。
【０００８】
請求項２に記載の配設治具は、請求項１に記載の配設治具において、取着体は、流体管継手の第１開口端近傍に形成された雌ねじ部又は雄ねじ部のいずれか一方に螺合可能な螺着部と、流体管継手に取着された状態で第１開口端を止水するための止水部と、を備えることを特徴とする。
【０００９】
請求項３に記載の配設治具は、請求項１又は２に記載の配設治具において、紐状体は、壁表から磁力によって引き寄せ可能な磁着部を備えることを特徴とする。
【００１０】
請求項４に記載の配設装置は、壁表に配置される第１開口端及び壁裏で流体管が接続される第２開口端を有する流体管継手と、流体管継手の第１開口端に脱着可能に取着される取着体、及び、該取着体に接続された長尺の紐状体を備える配設治具と、流体管継手を壁材に固定するための固定具と、を備え、壁裏で第１開口端に結合した取着体を壁表から紐状体で牽引して、流体管継手の第１開口端を壁表に突出させるべく、流体管が第２開口端に接続された状態で流体管継手を壁孔に向けて誘導可能であることを特徴とする。
【００１１】
請求項５に記載の配設装置は、請求項４に記載の配設装置において、取着体は、流体管継手の第１開口端近傍に形成された雌ねじ部又は雄ねじ部のいずれか一方に螺合可能な螺着部と、流体管継手に取着された状態で第１開口端を止水するための止水部と、を備えることを特徴とする。
【００１２】
請求項６に記載の配設装置は、請求項４又は５に記載の配設装置において、固定具は、壁材を壁表側から押圧して流体管継手を固定するための固定リングからなり、固定リングが流体管継手の第１開口端近傍の雄ねじ部に螺着可能であり、且つ、取着体の螺着部が第１開口端近傍の雌ねじ部に螺着可能であり、取着体を第１開口端に結合した状態で流体管継手を固定具で壁材に固定すべく、紐状体及び取着体が固定リングの中空を通過可能であるように構成されていることを特徴とする。
【００１３】
請求項７に記載の配設装置は、請求項６に記載の配設装置において、流体管継手は、流体管継手本体から張り出したフランジ部と、壁裏で壁材とフランジ部との間で挟圧される第１止水リングと、をさらに備え、第１止水リングが壁孔周縁に当接して固定リングの螺着時に流体管継手の共回りを抑制することを特徴とする。
【００１４】
請求項８に記載の配設装置は、請求項４から７のいずれかに記載の配設装置において、壁裏に配置した紐状体の磁着部を壁表から磁力によって引き寄せるための磁気牽引具をさらに備えることを特徴とする。
【００１５】
請求項９に記載の方法は、配設治具の取着体を流体管継手の第１開口端に脱着可能に取着すると共に流体管継手の第２開口端に流体管を接続する工程と、流体管及び配設治具が結合した流体管継手を壁裏に配置する工程と、配設治具の取着体に接続された長尺の紐状体で取着体を壁表から牽引して、流体管継手を壁孔に向けて誘導し、第１開口端を壁表に突出させるように配置する工程と、流体管継手を壁材に固定具で固定する工程と、配設治具を流体管継手から離脱させる工程と、を含むことを特徴とする。
【００１６】
請求項１０に記載の配設方法は、請求項９に記載の配設方法において、取着体は、流体管継手の第１開口端近傍に形成された雌ねじ部又は雄ねじ部のいずれか一方に螺合可能な螺着部と、流体管継手に取着された状態で第１開口端を止水するための止水部と、を備え、流体管継手を壁材に固定した後、流体管継手の水圧試験をする工程をさらに含むことを特徴とする。
【００１７】
請求項１１に記載の配設方法は、請求項９又は１０に記載の配設方法において、流体管継手を壁裏に配置した後、磁気牽引具を用いて、壁裏に配置した紐状体の磁着部を壁表から磁力で壁孔まで誘導し、紐状体を壁孔から壁表に引き出す工程をさらに含むことを特徴とする。
【００１８】
請求項１２に記載の配設装置は、壁孔に貫通配置される配設体と、配設体に脱着可能に形成された取着体、及び、該取着体に接続された長尺の紐状体を有する配設治具と、配設体を壁材に固定するための固定具と、を備え、壁裏で配設体に結合した取着体を壁表から紐状体で牽引して、配設体を壁孔に向けて誘導可能であることを特徴とする。
【発明の効果】
【００１９】
請求項１に記載の発明によれば、流体管継手に取着体を結合した状態で、壁表から紐状体を引っ張ることにより、取着体と共に流体管継手を牽引して壁孔に向けて誘導可能である。すなわち、配設治具を使用することにより、壁表から紐状体を操作して流体管継手の第１開口端を壁孔まで誘導し、壁裏に配置された流体管継手を壁孔の所定位置に容易に配設することができる。さらに、流体管が流体管継手の第２開口端に接続された状態で流体管継手を壁孔に向けて誘導可能であるため、壁裏に配置される前に予め流体管を第２開口端に接続しておくことができる。すなわち、流体管を流体管継手に接続する作業を壁裏空間で行う必要性を排除し、より広い作業空間で実施することを選択可能である。したがって、本発明の配設治具は、壁裏空間での作業効率低下を軽減し、流体管継手（配設体）を壁孔により迅速且つ容易に配設可能とするものである。
【００２０】
請求項２に記載の発明によれば、請求項１に記載の発明の効果に加えて、配設治具の取着体が流体管継手の第１開口端に止水状態で螺着される。そのため、流体管継手の第１開口端に取着体を螺着させた状態で、配管システム上流から流体管継手の第１開口端までの水圧試験を実施することができる。このとき、配設治具の取着体が（螺着部及び止水部を有する）止水栓として機能するため、高い水圧で試験を実施可能である。
【００２１】
請求項３に記載の発明によれば、請求項１又は２に記載の発明の効果に加えて、磁気牽引具で、壁裏に配置した紐状体の磁着部を壁表側から磁力によって引き寄せることにより、壁孔を介して壁表側に紐状体を簡単に引き出すことができる。
【００２２】
請求項４に記載の発明によれば、流体管継手に取着体を結合した状態で、壁表から紐状体を引っ張ることにより、取着体と共に流体管継手を牽引して壁孔に向けて誘導可能である。すなわち、壁表から配設治具の紐状体を操作して流体管継手の第１開口端を壁孔まで誘導し、壁裏に配置された流体管継手を壁孔の所定位置に容易に配設することができる。さらに、流体管が流体管継手の第２開口端に接続された状態で流体管継手を壁孔に向けて誘導可能であるため、壁裏に配置される前に予め流体管を第２開口端に接続しておくことができる。すなわち、流体管を流体管継手に接続する作業を壁裏空間で行う必要性を排除し、より広い作業空間で実施することを選択可能である。したがって、本発明の配設装置は、壁裏空間での作業効率低下を軽減し、流体管継手（配設体）を壁孔により迅速且つ容易に配設可能とするものである。
【００２３】
請求項５に記載の発明によれば、請求項４に記載の発明の効果に加えて、配設治具の取着体が流体管継手の第１開口端に止水状態で螺着される。そのため、流体管継手の第１開口端に取着体を螺着させた状態で、配管システム上流から流体管継手の第１開口端までの水圧試験を実施することができる。このとき、配設治具が（螺着部及び止水部を有する）止水栓として機能するため、高い水圧で試験を実施可能である。
【００２４】
請求項６に記載の発明によれば、請求項４又は５に記載の発明の効果に加えて、取着体を第１開口端に結合した状態で流体管継手を固定具で壁材に固定すべく構成されている。すなわち、配設治具の紐状体を把持して流体管継手を壁孔に保持し、壁孔から流体管継手を脱落させないように、固定リングで流体管継手を壁材に確実に固定することができる。あるいは、固定する時に不意に流体管継手が壁裏に落下した場合においても、配設治具が流体管継手に未だ接続されているため、流体管継手を固定直前の位置に簡単に復帰させることができる。
【００２５】
請求項７に記載の発明によれば、請求項６に記載の発明の効果に加えて、固定リングを流体管継手に螺着するときに、第１止水リングがフランジ部及び壁面に対して高い摩擦力で圧接するため、流体管継手の共回りを抑制する。これにより、所定の姿勢で流体管継手を壁材に容易に固定することができる。
【００２６】
請求項８に記載の発明によれば、請求項４から７のいずれかに記載の発明の効果に加えて、磁気牽引具で、壁裏に配置した紐状体の磁着部を壁表側から磁力によって引き寄せることにより、壁孔を介して壁表側に紐状体を簡単に引き出すことができる。
【００２７】
請求項９に記載の発明によれば、流体管継手を壁裏に配置する前に、流体管継手の第２開口端に流体管を接続し、且つ、流体管継手の第１開口端に配設治具の取着体を取り付ける。これら作業は、壁裏空間の悪条件に左右されないため、簡単且つ迅速に実施可能である。そして、壁表から配設治具の紐状体を操作して、流体管が接続された流体管継手の第１開口端を壁孔まで誘導し、壁裏に配置された流体管継手を所定位置に容易に配設することができる。したがって、本発明は、流体管継手を壁孔に簡単且つ迅速に配設可能とする流体管継手の配設方法を提供する。
【００２８】
請求項１０に記載の発明によれば、請求項９に記載の発明の効果に加えて、流体管継手の第１開口端に管材、水栓、他の継手等の接続部材を取り付ける前であり、且つ、取着体が第１開口端に螺着した状態で、配管システム上流から流体管継手の第１開口端まで水圧試験を実施する。これにより、配設治具が（螺着部及び止水部を有する）止水栓として機能して、接続部材を接続した場合と比べてより高い水圧条件で効果的に試験可能である。
【００２９】
請求項１１に記載の発明によれば、請求項９又は１０に記載の発明の効果に加えて、磁気牽引具で、壁裏に配置した紐状体の磁着部を壁表側から磁力によって引き寄せることにより、壁孔を介して壁表側に紐状体を簡単に引き出すことができる。
【００３０】
請求項１２に記載の発明によれば、配設体に取着体を結合した状態で、壁表から紐状体を引っ張ることにより、取着体と共に配設体を牽引して壁孔に向けて誘導可能である。すなわち、壁表から配設治具の紐状体を操作して配設体を壁孔まで誘導し、壁裏に配置された配設体を所定位置に容易に配設することができる。したがって、本発明の配設装置は、壁裏空間による悪影響を軽減し、配設体を壁孔により迅速且つ容易に配設可能とするものである。
【図面の簡単な説明】
【００３１】
【図１】本発明の一実施形態の配設装置の分解斜視図。
【図２】図１の配設装置の配設治具の斜視図。
【図３】図２の配設治具の取着体の（ａ）正面図、（ｂ）側面図及び（ｃ）Ａ−Ａ断面図。
【図４】図１の配設装置の配設体（流体管継手）及び固定具（固定リング）の斜視図。
【図５】図４の流体管継手及び固定リングの（ａ）側面図及び（ｂ）断面図。
【図６】本発明の一実施形態の配設構造の斜視図。
【図７】図６の配設体構造の断面図。
【図８】本発明の一実施形態の配設構造（水圧試験時）の斜視図。
【図９】図８の配設体構造の断面図。
【図１０】流体管継手を壁孔に配設する方法を示す模式図であって、（ａ）流体管継手に流体管及び配設治具を取り付ける工程、（ｂ）流体管継手を壁孔まで誘導して固定リングで固定する工程を示す。
【図１１】流体管継手を壁孔に配設する方法を示す模式図であって、（ａ）流体管継手から配設治具を離脱させる工程、（ｂ）流体管継手に接続部材を取り付ける工程を示す。
【発明を実施するための形態】
【００３２】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。また、本発明における上下左右の方向は、相対的な位置を示す概念にすぎず、これらを入れ替えて適用可能であることは言うまでもない。
【００３３】
以下に説明する本実施形態では、配設体は流体管継手（水栓エルボ）であり、該配設体が固定される壁材はユニットバスの側壁である。しかしながら、ここで説明する配設装置の実施形態は例示にすぎず、本発明の配設装置は、側壁だけでなく、天井壁、床壁など任意の壁材に適用可能である。または、配設装置は、水栓用途でなくても、例えば、ガス配管、配線、換気等の他の用途に適用可能であることは言うまでもない。
【００３４】
図１は、一実施形態の配設装置１００の分解斜視図である。配設装置１００は、配設体を壁孔に貫通配置するものである。図１に示すとおり、配設装置１００は、配設治具１１０と、一端及び他端に接続部材（例えば、水栓、管材、継手等）及び流体管Ｐが接続される流体管継手（配設体）１２０と、該流体管継手１２０を壁材Ｗに固定するための固定具１３０と、からなる。
【００３５】
図２〜図５を参照して、一実施形態の配設装置１００の各構成要素をより詳細に説明する。
【００３６】
図２は、配設装置１００の配設治具１１０の斜視図である。図２に示すとおり、配設治具１１０は、流体管継手１２０に脱着可能である取着体１１１と、該取着体１１１に接続された自在に曲がる長尺の紐状体１１７とを備える。当該取着体１１１は、筒状に延びると共に外周に雄ねじが形成された螺着部１１２と、該螺着部１１２の基端で径方向に張り出した鍔部１１３と、該鍔部１１３から螺着部１１２の反対側に延びる接続部１１４と、を備える。そして、該取着体１１１には、チェーン形状の紐状体１１７がスナップフック及びリングを介して接続部１１４の孔１１４ａに脱着可能に連結されている。該紐状体１１７には、接続部１１４の反対端において錘状の磁着部１１８が設けられている。この磁着部１１８は、後述する磁気牽引具１４０（図１０（ｂ）参照）に磁着可能であり、永久磁石又は非永久磁石の磁性金属から形成されている。また、該磁着部１１８は、紐状体１１７を適切に垂下させるように錘としても機能する。
【００３７】
図３（ａ）は、配設治具１１０から紐状体１１７を取り外した取着体１１１の正面図、図３（ｂ）はその側面図及び図３（ｃ）はその断面図である。図３（ａ）に示すとおり、取着体１１１の鍔部１１３は、正面視において外径Ｌ１の円形状を有している。そして、鍔部１１３の略中央には、板状の接続部１１４が直径に沿って延在すると共に鍔部１１３平面から垂直に立設されている。図３（ｂ）及び（ｃ）に示すとおり、接続部１１４の反対側に延びる螺着部１１２は、鍔部１１３の径よりも小さい径からなる中実の円筒形状を有しており、その外周にねじ山が形成されている。そして、螺着部１１２の基端と鍔部１１３の裏面との間に止水部１１５が配置されている。この止水部１１５は、ゴム製のＯリングからなる。後述するように、止水部１１５は、螺着部１１２を流体管継手１２０の雌ねじ部１２１ｂに螺合した際、取着体１１１の鍔部１１３と流体管継手１２０の第１開口端１２１との間を止水するように機能する。
【００３８】
なお、本実施形態の配設治具１１０の取着体１１１は、止水栓としての十分な強度を発揮すべくＳＵＳや真鍮等からなる金属製の中実体として形成された。しかしながら、本発明の取着体は、一実施形態の形態に限定されない。例えば、取着体は、中空円筒体に雄ねじ又は雌ねじが設けられた形状であってもよい。あるいは、取着体は、金属の代わりに、硬質の合成樹脂で成形されてもよい。他方、紐状体１１７は、金属のチェーンとして形成されたが、取着体を牽引可能であれば、その形状及び材質はこれに限定されない。例えば、紐状体は、合成樹脂製のチェーン、革紐、麻紐等から任意に選択することができる。また、本実施形態では、磁着部１１８が紐状体１１７の先端に連結された磁石又は磁性体の錘からなるが、本発明はこれに限定されない。例えば、紐状体の材質を磁性金属又は磁石で構成して、紐状体全体を磁着部とすることも可能である。
【００３９】
図４は、本実施形態の配設体としての流体管継手１２０及び固定具１３０の斜視図である。そして、図５（ａ）は、該流体管継手１２０及び固定具１３０の側面図、及び、図５（ｂ）は、その断面図である。図４及び図５に示すとおり、流体管継手１２０は、Ｌ字形状を有する中空の筒体からなり、所謂水栓エルボである。
【００４０】
この流体管継手１２０は、その一端に第１開口端１２１を有するとともに、その他端に該第１開口端１２１と直交する方向に開口する第２開口端１２２を備えてなる。この流体管継手１２０では、壁孔Ｈを貫通可能であるように、第１開口端１２１の開口方向に延びる筒体が少なくとも壁厚よりも長く形成されている。そして、第１開口端１２１近傍の筒体外周には、複数のねじ山が螺旋状に形成されてなる雄ねじ部１２１ａが設けられている。他方、第１開口端１２１近傍の筒体内周には、雌ねじ部１２１ｂが設けられている。この雌ねじ部１２１ｂは、取着体１１１の螺着部１１２に螺合可能であり、尚且つ、一般的な規格の水栓や管材等の接続部材の雄ねじを螺着可能に構成されている。また、第２開口端１２２は、剛性及び可撓性を併せ持つ流体管Ｐが接続可能に形成されている。この第２開口端１２２は、図５（ｂ）に示すとおり、流体管Ｐの内径よりも大きい径を有する圧入部１２２ａ及び圧着リング１２２ｂを有する。そして、流体管Ｐを第２開口端１２２に接続するには、流体管Ｐの内径を既存の治具で拡径し、圧入部１２２ａを流体管Ｐの拡径部に差し込み、流体管Ｐの上から圧着リング１２２ｂを圧入部１２２ａに圧入すればよい。なお、流体管Ｐは、架橋ポリエチレン管、ポリブデン管等からなり、所定の剛性を有するが、配管経路に沿って任意に屈曲可能である。
【００４１】
また、流体管継手１２０の雄ねじ部１２１ａの基端には、その径方向に張り出した円板状のフランジ部１２３が設けられている。このフランジ部１２３は、雄ねじ部１２１ａの基端まで螺着された（内周にねじ部を有する）リング体からなる。しかしながら、フランジ部１２３を流体管継手１２０に一体形成してもよい。さらに、流体管継手１２０は、フランジ部１２３平面と壁材Ｗ裏面との間に密着状態で配置される第１止水リング１２４を備える。この第１止水リング１２４は、平板リング状のパッキンであり、軟質の合成樹脂やゴム等で形成可能である。後述するとおり、この第１止水リング１２４は、止水機能に加えて、固定時に流体管継手１２０の共回りを抑制する機能を発揮する。
【００４２】
また、本配設装置１００の固定具１３０は、固定リング１３１、滑りリング１３２及び第２止水リング１３３からなる。固定リング１３１は、内周に設けられたねじ部１３１ａと、平面に設けられた一対の孔１３１ｂとを備える。固定リング１３１のねじ部１３１ａは、雄ねじ部１２１ａと螺合可能であり、（雄ねじ部１２１ａの最小外径と等しい）最小内径Ｌ２を有する。また、滑りリング１３２及び第２止水リング１３３の内径は、固定リング１３１の最小内径Ｌ２よりも大きく、且つ、流体管継手１２０の雄ねじ部１２１ｂの最大外径よりも小さい。そして、取着体１１１の鍔部１１３の外径Ｌ１は、固定リング１３１の内径Ｌ２と比べて小さくなるように定められている。すなわち、本配設装置１００は、取着体１１１及び紐状体１１７が固定リング１３１、滑りリング１３２及び第２止水リング１３３の中空を通過可能であるように構成されている。
【００４３】
なお、本実施形態の流体管継手１２０は、金属製の水栓エルボからなるが、本発明の流体管継手はこれに限定されない。例えば、流体管継手は、壁孔に貫通配置可能な形状であれば、Ｉ字形状の水栓ニップルやＴ字形状の水栓チーズであってもよい。あるいは、流体管継手を合成樹脂で成形してもよい。すなわち、当業者であれば、流体管継手の形状及び材質を任意に選択可能である。
【００４４】
図６及び図７は、本実施形態の配設装置１００により構築した流体管継手１２０の配設構造１０の斜視図及び断面図である。この配設構造１０は、垂直に立設したユニットバスの側壁（壁材Ｗ）に穿設された円形の壁孔Ｈに水栓エルボである流体管継手１２０を配設したものである。
【００４５】
図６及び図７に示すとおり、この配設構造１０では、壁材Ｗに穿設された壁孔Ｈを流体管継手１２０の第１開口端１２１側の筒体が貫通し、第１開口端１２１が壁表に突出している。そして、固定リング１３１が流体管継手１２０の雄ねじ部１２１ａに螺着して、フランジ部１２３と固定リング１３１とで壁孔Ｈの周縁を挟圧（又は挟持）することにより、流体管継手１２０が壁材Ｗに固定されている。このとき、固定リング１３１のねじ部１３１ａが雄ねじ部１２１ａに強固に螺合していることにより、固定リング１３１が滑りリング１３２及び第２止水リング１３３を壁面に対して押し付けている。これにより、第２止水リング１３３が壁表側の壁面と滑りリング１３２の裏面に密着及び圧接し、壁表空間及び壁孔Ｈの間を止水状態で封止している。同時に、第１止水リング１２４が壁裏側の壁面とフランジ部１２３表面に密着及び圧接し、壁裏空間及び壁孔Ｈの間を止水状態で封止している。この封止は、壁表空間に水が満たされた場合に、水が壁孔Ｈ及び壁裏空間に流入することを防止する。しかしながら、液体等の流入を配慮する必要がない用途・環境では、止水リングを省略してもよい。
【００４６】
そして、配設構造１０の壁表空間では、固定具１３０で固定された流体管継手１２０の第１開口端１２１に任意の接続部材が取り付けられる。例えば、接続部材は、以下に限定されないが、流体管継手１２０の雌ねじ部１２１ｂに螺着可能な雄ねじを有する水栓、継手、管材等から選択可能である。他方、配設構造１０の壁裏空間では、垂直方向に延在する流体管Ｐが流体管継手１２０の第２開口端１２２に接続されている。ここで、流体管Ｐの下端が拡径されて、第２開口端１２２の圧入部１２２ａが管内に挿入されている。そして、当該流体管Ｐの外側から嵌め込まれた圧着リング１２２ｂが流体管Ｐを圧入部１２２ａに対して圧着している。つまり、流体管Ｐが第２開口端１２２に止水状態で圧入されている。この流体管Ｐの上端は、配管システムの上流に接続されている（図示せず）。なお、本実施形態の配設構造１０では、壁材Ｗに１つの流体管継手１２０が配設されているが、特許技術文献１の配設装置のように、複数の流体管継手１２０を壁材Ｗに並設してもよい。
【００４７】
図８及び図９は、本実施形態の配設装置１００により構築した流体管継手１２０の配設構造１０’の斜視図及び断面図である。この配設構造１０’では、配設構造１０と異なり、流体管継手１２０の第１開口端１２１に配設治具１１０の取着体１１１が取り付けられている。このとき、流体管継手１２０の雌ねじ部１２１ｂに取着体１１１の螺着部１１２がほぼ完全に螺合し、尚且つ、Ｏリング状の止水部１１５が鍔部１１３と第２開口端１２２の内縁（雌ねじ部１２２ｂの先端）との間に介在して両者に圧接している。すなわち、当該配設構造１０’では、該取着体１１１が止水栓として機能しているため、配管システムの上流から流体管継手１２０の第１開口端１２１まで水を注入して水圧試験を実施することが可能である。特には、螺着部１１２及び止水部１１５を有する取着体１１１は、単純且つ堅牢の構造からなり、該取着体１１１が第１開口端１２１をより確実に止水することができる。つまり、この取着体１１１を第１開口端１２１に螺着すれば、水栓等の接続部材を取り付ける前に、（水栓等の水圧限度を超えた）より過酷な条件で水圧試験を実施可能である。また、接続部材を取り付ける前に、配設構造１０’を維持することにより、この取着体１１１は、予備配管や先行配管の際にねじ部を保護し、尚且つ、流体管継手１２０の内部へゴミなどの異物が侵入することを防止するように機能する。
【００４８】
図１０及び図１１を参照して、本発明の一実施形態の配設構造１００により、流体管継手１２０を壁孔Ｈに配設する方法を説明する。
【００４９】
まず、図１０（ａ）に示すとおり、壁裏の外の広い空間（例えば、壁表空間や壁材の上方の空間）で、流体管継手１２０の雌ねじ部１２１ｂに取着体１１１の螺着部１１２を螺合させて、取着体１１１を流体管継手１２０の第１開口端１２１にほぼ完全に螺着する。この工程と同時に又は前後して、下端が拡径された流体管Ｐ内に流体管継手１２０の圧入部１２２ａを挿入する。そして、流体管Ｐを挿入した状態の圧入部１２２ａに流体管Ｐの周囲に配置された圧着リング１２２ｂ（圧着リング１２２ｂの内径は、流体管Ｐの標準径よりも大きく拡径された径よりも小さい）を強引に押し下げることにより、流体管Ｐを第２開口端１２２に止水状態で圧入する。なお、流体管Ｐの上端は、この時点で配管システムの上流に接続されていてもよく、又は、他の任意の工程で接続されてもよい。
【００５０】
次に、紐状体１１７が垂下した状態の取着体１１１、及び、垂直方向に延在する流体管Ｐと一体化した流体管継手１２０を壁裏空間に押し入れる。そして、壁裏の外の空間で流体管Ｐを把持しつつ、壁孔Ｈに向けて流体管継手１２０を押し進める。こうして、配設治具１１０（取着体１１１及び紐状体１１７）、流体管継手１２０及び流体管Ｐ（の一部又は全部）を壁裏に配置する。このとき、流体管継手１２０の第１開口端１２１の位置は、壁材Ｗの垂直方向及び／又は平面方向において壁孔Ｈから離隔し、且つ、取着体１１１の紐状体１１７が壁孔Ｈ近傍に吊り下がっている。
【００５１】
次いで、図１０（ｂ）に示すとおり、（配設装置１００の一部として解釈可能な）磁気牽引具１４０を壁材Ｗの壁表壁面に宛がって、垂下した紐状体１１７の自由端（磁着部１１８）を磁気で壁表から検知及び誘引する（仮想線参照）。そして、壁材Ｗを介して磁気牽引具１４０に磁着部１１８を磁着した状態で、壁孔Ｈまで移動させることにより、紐状体１１７を壁孔Ｈまで誘導して壁表側に簡単に引き出すことができる。なお、当該磁気牽引具１４０は、所定厚の壁材Ｗを隔てて、磁性体からなる磁着部１１８を引き寄せ可能であるように、十分に強い磁力線を放射可能に構成されている。そして、磁気牽引具１４０は、永久磁石式であっても、電磁石式であってもよい。または、磁着部１１８及び磁気牽引具１４０が相対的に磁着可能であれば、磁気牽引具１４０を磁石でなく磁性金属としてもよい。あるいは、紐状体１１７が手指や工具に引っ掛かる位置にあれば、磁力を使わずとも、手指や工具を差し入れて、壁孔Ｈから壁表側に引き出すことも可能である。
【００５２】
続いて、壁表側に自由端が引き出された紐状体１１７（又は磁着部１１８）を把持して壁表側に引っ張ることにより、壁裏の取着体１１１及び流体管Ｐと共に流体管継手１２０を強制的に牽引して、取着体１１１が接続した第１開口端１２１を壁孔Ｈまで誘導する。そして、流体管継手１２０の第１開口端１２１（雄ねじ部１２１ａの先端近傍）及び取着体１１１が壁孔Ｈから壁表側に突出するまで、紐状体１１７で流体管継手１２０を牽引して、流体管継手１２０を壁孔Ｈの配設位置に移動させる。
【００５３】
次に、固定具１３０の各リング（固定リング１３１、滑りリング１３２及び第２止水リング１３３）の中空に紐状体１１７の自由端（磁着部１１８）を通した上で、取着体１１１の鍔部１１３が固定具１３０の各リングの中空を通過するように、壁表側に突出した第１開口端１２１に固定具１３０を取り付ける。このとき、壁材Ｗ側から、第２止水リング１３３、滑りリング１３２及び固定リング１３１の順に配置する。そして、選択的に紐状体１１７を壁表側に引きながら、流体管継手１２０の雄ねじ部１２１ａに固定リング１３１内周のねじ部１３１ａを螺合させる。紐状体１１７を引きながら固定リング１３１を第１開口端１２１に螺着することにより、流体管継手１２０が壁裏側に落下することを防止し、より安定的に作業を行うことができる。しかし、この紐状体１１７を引き寄せる作業は、本工程に必須ではない。
【００５４】
そして、固定リング１３１の一対の孔１３１ｂに、水栓レンチ等の治具を挿し込んで回転させることにより、固定リング１３１を雄ねじ部１２１ａに強く締結することができる。このとき、固定リング１３１と第２止水リング１３３との間に介在する滑りリング１３２が固定リング１３１の回転摩擦抵抗を低減させるため、固定リング１３１が滑りリング１３２上を滑らかに螺回転して、固定リング１３１を雄ねじ部１２１ａに対してより強固に螺着することができる。これと同時に、壁裏で第１止水リング１２４がフランジ部１２３及び壁裏壁面に圧接して高い摩擦力を発生させることにより、固定リング１３１の螺着時に流体管継手１２０が共回転することが抑制される。結果として、第１止水リング１２４が壁裏壁面に圧接したと共に第２止水リング１３３が壁表壁面に圧接した良好な止水状態で、流体管継手１２０が固定具１３０で壁材Ｗに固定される。
【００５５】
さらに、選択的な工程として、固定具１３０で流体管継手１２０を壁材Ｗに固定した後、配設治具１１０の取着体１１１を流体管継手１２０の第１開口端１２１に螺着したまま（配設構造１０’の形態）、配管システムの上流から第１開口端１２１まで注水して配管システムの水圧試験を実施することができる。上述したとおり、取着体１１１が止水栓として機能するため、接続部材を取着した後の条件よりも高い水圧条件で水圧試験を実施可能である。この水圧試験において、漏水等が判明した場合には、その箇所を特定して補修する。
【００５６】
続いて、図１１（ａ）に示すとおり、流体管継手１２０の雌ねじ部１２１ｂに螺着した取着体１１１を離脱方向に螺回転させて第１開口端１２１から取り外す。最後に、図１１（ｂ）に示すとおり、接続部材Ｑを第１開口端１２１に接続することにより、配設構造１０を構築することができる。なお、この接続部材Ｑは、化粧カバー及び水栓が一体化されてなる給水口部材（その断面構造を詳細には図示せず）からなるが、これは例示にすぎず、接続部材Ｑはこれに限定されることはない。
【００５７】
以下、本発明に係る一実施形態の配設装置１００（配設治具１１０及び配設方法）における作用効果について説明する。
【００５８】
一実施形態の配設装置１００及び配設治具１１０では、流体管継手１２０に配設治具１１０の取着体１１１を結合した状態で、壁表から紐状体１１７を引っ張ることにより、取着体１１１と共に流体管継手１２０を牽引して壁孔Ｈに向けて誘導可能である。すなわち、壁表から配設治具１１０の紐状体１１７を操作して流体管継手１２０の第１開口端１１２を壁孔Ｈまで誘導し、壁裏に配置された流体管継手１２０の雄ねじ部１２１ａを壁孔Ｈから容易に突出させて配置可能である。さらに、流体管Ｐが流体管継手１２０の第２開口端１２２に接続された状態で流体管継手１２０を壁孔Ｈに向けて誘導可能であるため、壁裏に配置される前に予め流体管Ｐを第２開口端１２２に接続しておくことができる。すなわち、流体管Ｐを流体管継手１２０に接続する作業を壁裏空間で行う必要性を排除し、より広い作業空間で実施することを選択可能である。したがって、本実施形態の配設装置１００は、壁裏空間による悪影響を軽減し、流体管継手１２０を壁孔Ｈにより迅速且つ容易に配設可能とするものである。
【００５９】
一実施形態の流体管継手１２０の壁孔Ｈへの配設方法では、流体管継手１２０を壁裏に配置する前に、流体管継手１２０の第１開口端１２１に配設治具１１０の取着体１１１を取り付け、且つ、流体管継手１２０の第２開口端１２２に流体管Ｐを接続する。これら作業は、流体管継手１２０を壁裏に押し込む前に、壁裏の外のより広い作業空間で行われるため、簡単且つ迅速に実施可能である。そして、壁表から配設治具１１０の紐状体１１７を操作して、流体管Ｐが接続された流体管継手１２０の第１開口端１２１を壁孔Ｈまで誘導し、壁裏に配置された流体管継手１２０の雄ねじ部１２１ａを容易に壁孔Ｈから壁表に突出させて配置可能である。次いで、本方法では、配設治具１１０を流体管継手１２０から離脱させる前に固定具１３０で流体管継手１２０を固定する。すなわち、固定する時に配設治具１１０の紐状体１１７を選択的に引きながら流体管継手１２０を壁孔Ｈに保持し、壁孔Ｈから流体管継手１２０を脱落させないように、固定具１３０で流体管継手１２０を壁材Ｗに確実に固定することができる。あるいは、固定する時に不意に流体管継手１２０が壁裏に落下した場合においても、取着体１１１が流体管継手１２０に接続されているため、紐状体１１７を再度引っ張ることにより、流体管継手１２０を固定直前の位置に簡単に復帰させることができる。さらに、接続部材Ｑを第１開口端１２１に接続するまで取着体１１１を第１開口端１２１に取着した状態を維持することにより、予備配管や先行配管の際に第１開口端１２１を保護し、及び、流体管継手１２０内部へ異物が侵入することを防止することができる。
【００６０】
（変形例）
本実施形態では、第１開口端１２１と取着体１１１とが螺合によって結合するが、本発明はこれに限定されない。すなわち、少なくとも紐状体で取着体と共に配設体を牽引して壁孔に向けて誘導可能であれば、他の結合手段を採用してもよい。例えば、第１開口端と取着体とを嵌合により結合してもよい。この場合、上記実施形態と比べて、取着体による止水効果を期待できないが、より簡単な動作で取着体を第１開口端に取り付けることができる。あるいは、取着体にフック状の係止部を設け、該係止部を配設体に設けた被係止部に引っ掛けて、紐状体で取着体と共に配設体を牽引してもよい。
【００６１】
本発明は上述した実施形態や変形例に限定されるものではなく、本発明の技術的範囲に属する限りにおいて種々の態様で実施しうるものである。
【符号の説明】
【００６２】
１０      配設構造
１００    配設装置
１１０    配設治具
１１１    取着体
１１２    螺着部
１１３    鍔部
１１４    接続部
１１５    止水部
１１７    紐状体
１１８    磁着部
１２０    流体管継手（配設体）
１２１    第１開口端
１２１ａ  雄ねじ部
１２１ｂ  雌ねじ部
１２２    第２開口端
１２３    フランジ部    
１２４    第１止水リング
１３０    固定具
１３１    固定リング
１３２    滑りリング
１３３    第２止水リング
１４０    磁気牽引具
Ｐ        流体管
Ｑ        接続部材
Ｈ        壁孔
Ｗ        壁材
【図１】
2015086956.tif 000003
【図２】
2015086956.tif 000004
【図３】
2015086956.tif 000005
【図４】
2015086956.tif 000006
【図５】
2015086956.tif 000007
【図６】
2015086956.tif 000008
【図７】
2015086956.tif 000009
【図８】
2015086956.tif 000010
【図９】
2015086956.tif 000011
【図１０】
2015086956.tif 000012
【図１１】
2015086956.tif 000013